(57)【要約】【課題】  使用している場合及び使用しながらボタン等の操作部を操作する場合等の電極部に電流が出力されている状態において、患部以外の使用者の体が電極部に接触しないようにしてショートや正常な動作を行うことができない状態に陥ることを防止し、また、使用している化粧水等を伝わって導通状態になることを抑制することを目的とする美容機器を提供する。【解決手段】  少なくとも手持部からなる本体１０と、前記電極部１とが離隔し、連結部２をもって結合して離隔空間１１を形成しているので、使用者が本美容機器を使用している場合及び使用しながら電源ボタン５ａ等の操作部を操作する場合等の電極部１に電流が出力されている状態において、離間空間１１を設けている分患部以外の使用者の体（特に、指）が電極部１に接触する可能性が低くなりショート等の不具合の発生を抑制することができ、また、電極部１と本体１０とは連結部２で結合されており手の化粧水、汗等又は患部の化粧水、汗等が伝わりにくくショート等の不具合の発生を抑制することができる。【選択図】  図１
2005152323.tif 000002
【特許請求の範囲】
【請求項１】
使用者が使用時に握る手持部と、電流を出力する電極部と、当該電極部に各種電流を供給する電源部とを備え、電極部により美容を行う美容機器において、
少なくとも前記手持部からなる本体と、前記電極部とが離隔し、連結部をもって結合して離隔空間を形成していることを
特徴とする美容機器。
【請求項２】
使用者が使用時に握る手持部と、電流を出力する電極部と、当該電極部に各種電流を供給する電源部とを備え、電極部により美容を行う美容機器において、
少なくとも前記手持部からなる本体が電極部配置位置後方に透明又は半透明となっている遮蔽部を形成したことを
特徴とする美容機器。
【請求項３】
前記請求項２に記載の美容機器において、
少なくとも前記手持部からなる本体の形状が遮蔽部を形成するために、電極部配置方向に向かうに従い徐々に拡幅してなることを
特徴とする美容機器。
【請求項４】
使用者が使用時に握る手持部と、電流を出力する電極部と、当該電極部に各種電流を供給する電源部とを備え、電極部により美容を行う美容機器において、
少なくとも前記手持部からなる本体が電極部の外周に沿って発光することを
特徴とする美容機器。
【請求項５】
使用者が使用時に握る手持部と、電流を出力する電極部と、当該電極部に各種電流を供給する電源部とを備え、電極部により美容を行う美容機器において、
少なくとも前記手持部からなる本体の形状が電極部配置方向に向かうに従い拡幅してなり、電極部周辺の本体に穴を形成することを
特徴とする美容機器。
【請求項６】
使用者が使用時に握る手持部と、電流を出力する電極部と、当該電極部に各種電流を供給する電源部とを備え、電極部により美容を行う美容機器において、
少なくとも前記手持部からなる本体の形状が電極部配置方向に向かうに従い拡幅してなり、電極部周辺の本体にルーペを配設することを
特徴とする美容機器。
【発明の詳細な説明】
【技術分野】
【０００１】
本発明は、患部を美容する美容機器に関し、特に、形状に特化した美容機器に関する。
【背景技術】
【０００２】
背景技術としては、２００２−３２０６８０号公報に開示される美容機器があり、図１１に基づき説明する。この美容機器は、パルス生成回路が合成樹脂等の絶縁部材からなる筐体部１１１の内部に格納され、パルス生成回路における極性切替回路からの出力信号が、筐体部１１１の一方の主面に設けられた導入電極１１２と、筐体部１１１の他方の主面に設けられた対極電極１１３とに供給され、筐体部１１１における対極電極１１３と同一主面に、電源回路の一部を構成し主電源のオンオフを切り替えるための電源オンスイッチ１１５ａと電源オフスイッチ１１５ｂとが設けられている構成である。
【０００３】
他の美容機器としては、２０００−２１０３８５号公報に開示されるものがある。この美容機器は、図１２に示すように、パルス生成回路が合成樹脂等の絶縁部材からなる筐体部１２１の内部に格納され、筐体部１２１の一方の主面に設けられた導入電極１２２と、筐体部１２１の側面に設けられた対極電極１２３とに供給され、筐体部１２１における導入電極１２２と同一主面に、電源回路の一部を構成し主電源のオンオフを切り替えるための電源オンスイッチ１２５ａと電源オフスイッチ１２５ｂとが設けられている構成である。
【特許文献１】２００２−３２０６８０号公報
【特許文献２】２０００−２１０３８５号公報
【発明の開示】
【発明が解決しようとする課題】
【０００４】
前記背景技術に記載した美容機器は、一般的な美容機器の構成をしており、前記説明した美容機器以外の皮膚に接触して用いる美容機器も前記説明した前者か後者の美容機器の構成となっており、電極部と手持部を有する本体との関係も同様であり使用者が手持部を持って使用している場合及び使用しながらボタン等の操作部を操作する場合に使用者の手が電極部に接触し、ショート若しくは正常な動作を行うことができないという課題を有する。また、使用している場合及び使用しながらボタン等の操作部を操作する場合に使用者の手が届く範囲と電極部とが一体的に形成され、化粧水等を触った通常より湿った状態の手で使用し、患部にも同様に化粧水等で濡れているため、これらの化粧水が美容機器を伝わって導通し同様にショート若しくは正常な動作を行うことができないという課題を有する。さらに、これらの一般的な美容機器には、美容機器の使用状態を示すために発光ダイオードを用いているが、美容機器の使用状態にしか用いられておらず他の用途と共に用いることで有効活用できる余地がある。
【０００５】
本発明は前記課題を解決するためになされたものであり、使用している場合及び使用しながらボタン等の操作部を操作する場合等の電極部に電流が出力されている状態において、患部以外の使用者の体が電極部に接触しないようにしてショートや正常な動作を行うことができない状態に陥ることを防止し、また、使用している化粧水等を伝わって導通状態になることを抑制することを目的とする美容機器を提供することを目的とする。
【課題を解決するための手段】
【０００６】
本発明に係る美容機器は、使用者が使用時に握る手持部と、電流を出力する電極部と、当該電極部に各種電流を供給する電源部とを備え、電極部により美容を行い、少なくとも前記手持部からなる本体と、前記電極部とが離隔し、連結部をもって結合して離隔空間を形成しているものである。このように本発明においては、少なくとも前記手持部からなる本体と、前記電極部とが離隔し、連結部をもって結合して離隔空間を形成しているので、使用者が本美容機器を使用している場合及び使用しながら電源ボタン等の操作部を操作する場合等の電極部に電流が出力されている状態において、離間空間を設けている分患部以外の使用者の体（特に、指）が電極部に接触する可能性が低くなりショート等の不具合の発生を抑制することができ、また、電極部と本体とは連結部で結合されており手の化粧水、汗等又は患部の化粧水、汗等が伝わりにくくショート等の不具合の発生を抑制することができる。
【０００７】
また、本発明に係る美容機器は、使用者が使用時に握る手持部と、電流を出力する電極部と、当該電極部に各種電流を供給する電源部とを備え、電極部により美容を行い、少なくとも前記手持部からなる本体が電極部配置位置後方に透明又は半透明となっている遮蔽部を形成したものである。このように本発明においては、本体が電極部配置位置後方に透明又は半透明となっている遮蔽部を形成しているので、使用者が本美容機器を使用している場合及び使用しながら電源ボタン等の操作部を操作する場合等の電極部に電流が出力されている状態において、遮蔽部により電極部に患部以外の指が接触することが防止され、ショート等の不具合の発生を抑制することができ、また、この遮蔽部が透明であり使用者が患部周辺を視認しながら本美容機器を用いることができ利便性もよい。
【０００８】
また、本発明に係る美容機器は必要に応じて、少なくとも前記手持部からなる本体の形状が遮蔽部を形成するために、電極部配置方向に向かうに従い徐々に拡幅してなるものである。このように本発明においては、本体の形状が電極部配置方向に向かうに従い拡幅してなり、電極部周辺の本体が透明及び半透明となっているので、使用者が本美容機器を使用している場合及び使用しながら電源ボタン等の操作部を操作する場合等の電極部に電流が出力されている状態において、電極部が配置されている本体の先端が拡幅している分患部以外の使用者の体（特に指）が回り込んで電極部に接触する可能性が相当低くなりショート等の不具合の発生を抑制することができ、また、電極部周辺の本体が透明であり使用者が患部周辺を視認しながら本美容機器を用いることができ利便性もよい。
【０００９】
また、本発明に係る美容機器は、使用者が使用時に握る手持部と、電流を出力する電極部と、当該電極部に各種電流を供給する電源部とを備え、電極部により美容を行い、少なくとも前記手持部からなる本体が電極部の外周に沿って発光するものである。このように本発明においては、本体が電極部の外周に沿って発光するので、本美容機器を使用している場合であっても電極部の位置が把握でき、患部に電極部を接触している時に電極部が患部の所望部分に接触しているか否かを本美容機器側面側から覗き込むことなく、正面方向から確認でき利便性が高く、さらに、顔に使用している場合には通常鏡を見ながら行うが光っており視認性が高いため近くで凝視しながら使用する必要がなく利便性が高い。
【００１０】
また、本発明に係る美容機器は、使用者が使用時に握る手持部と、電流を出力する電極部と、当該電極部に各種電流を供給する電源部とを備え、電極部により美容を行い、少なくとも前記手持部からなる本体の形状が電極部配置方向に向かうに従い拡幅してなり、電極部周辺の本体に穴を形成するものである。このように本発明においては、電極部周辺の本体に穴を形成するので、穴から患部を直接視認することができより視認性に優れ、円滑に患部に電極部１を接触させて使用することができる。
【００１１】
また、本発明に係る美容機器は、使用者が使用時に握る手持部と、電流を出力する電極部と、当該電極部に各種電流を供給する電源部とを備え、電極部により美容を行い、少なくとも前記手持部からなる本体の形状が電極部配置方向に向かうに従い拡幅してなり、電極部周辺の本体にルーペを配設するものである。このように本発明においては、電極部周辺の本体にルーペを配設するので、ルーペを介して患部を視認することができ肉眼で見るよりもより詳しく現在の皮膚の状態と、使用後の皮膚の状態とを同時に見ることができ、利便性に優れる。
【発明を実施するための最良の形態】
【００１２】
（本発明の第１の実施形態）
本発明の第１の実施形態に係る美容機器について図１ないし図６に基づき説明する。図１は本実施形態に係る美容機器の全体斜視図、図２は本実施形態に係る美容機器の六面図、図３は本実施形態に係る美容機器のドーム部の説明図、図４は本実施形態に係る美容機器の制御に関する構成ブロック図、図５は本実施形態に係る美容機器のパルス波形図、図６は本実施形態に係る美容機器の使用動作に係るフローチャートである。
【００１３】
本実施形態に係る美容機器は、電流を出力する円状の電極部１と、この電極部１と連結部２を介して結合する介装体３と、電極部１と連結部２を介して結合している面の対向面の介装体３上に電極部１の円状と略同心円で中空を有して面設されているドーム部４と、連結部２が結合している介装体３の先端３ａと逆の介装体の後端３ｂで前記ドーム部４が面設されている面に配設されている上部外装体５と、この上部介装体５と面対称に介装体３に配設されている下部外装体６とからなる構成である。
【００１４】
前記電極部１は、導電性部材からなり、同じく導電性部材からなる対極電極部８と共に、人体を介して導通状態となる。実際の使用時には、電極部１が患部に接触し、対極電極部８が本美容機器を持つ掌や手の指等と接触し、電極部１（又は対極電極部８）から人体を介して対極電極部８（又は電極部１）へ向かって電流が流れる。電極部１には電流の供給を受けるべく、電極ライン１ａが本体１０の内部に内設されている。ただし、電源ライン１ａは１本であり、もう１本は人体を導体とみなすので不必要である。
【００１５】
前記介装体３は後端３ｂから先端３ａへ向かって拡幅して形成される平板状のものであり、前記連結部２は介装体３の中央部先端３ａ寄りの部分から垂直に延出して形成されたものであり、これら介装体３と連結部２とは同一材質の透明な樹脂から一体成形されている。
【００１６】
前記ドーム部４は、電極部１と略同心円で中空を有してドーム状に、前記介装体３と連結部２と同一材質で介装体３と連結部２とは別体に成形され、接面４ａのみを粗面に形成されているものである。この別体に成形されたドーム部４を、介装体３の先端３ａ方向上面に接着して面設している。
【００１７】
前記上部外装体５は、後端に対極電極部８が形成されており、内部に電池からの電流の供給を受け、かかる電流をパルスに換え、電極部１（又は対極電極部８）にパルスを出力するように制御する制御部９を実装している回路基盤が配設されている。上部外装体５は前記介装体３、連結部２及びドーム部４と異なり有色にて形成されており、これは、内部の回路基盤を被覆するためである。したがって、外観者に対する美観を向上させるためにデザイン上特化させるために透明又は半透明にして内部の回路基板を故意に透過させる場合もある。
【００１８】
前記下部外装体６は、上部外装体５と同様に後端に対極電極部８が形成されており、内部に電流供給元となる電池が脱着可能となる電池収納部が形成されている。下部外装体６も、上部外装体５と同様な理由で有色にて形成されている。
【００１９】
上部介装体５と下部介装体６とで挟装された前記介装体３の一部が手持部を形成し、上部介装体、下部介装体及び介装体で本体１０を構成している。電極部１はこの本体１０と離隔され、連結部２を介して本体１０と結合し離隔空間１１を形成している。この電極部１が本体１０と離隔され、本体１０と電極１との間に離隔空間１１を形成していることは本発明の第１の特徴であり、この特徴により、使用者が本美容機器を使用している場合及び使用しながら電源ボタン５ａ等の操作部を操作する場合等の電極部１に電流が出力されている状態において、離間空間１１を設けている分患部以外の使用者の体（特に、指）が電極部１に接触する可能性が低くなりショート等の不具合の発生を抑制することができ、また、電極部１と本体１０とは連結部２で結合されており手の化粧水、汗等又は患部の化粧水、汗等が伝わりにくくショート等の不具合の発生を抑制することができる。ここで、前記離間空間１１の離間距離を離せば離す程、離間距離を設けている分患部以外の使用者の体が電極部１に接触する可能性が低くなるためよりショート等の不具合の発生を抑制することができるが、実用的な範囲であることが望ましい。また、電極部１と本体１０とを結合する連結部２もある程度離間距離を維持しつつ連結部２の表面積を小さくすることで化粧水、汗等が伝わることを防止することができるが、連結部２としての役割を果たすための強度が必要となるため、ある程度の表面積が必要となる。
【００２０】
本体１０の一部を構成する介装体３は後端３ｂから電極部１が配置している先端の方向に向かうに従い拡幅しており、且つ、介装体３の全体が透明な樹脂からなっている。この本体の形状が電極部１配置方向に向かうに従い拡幅してなり、電極部１周辺の本体１０が透明となっていることは本発明の第２の特徴であり、この特徴により、使用者が本美容機器を使用している場合及び使用しながら電源ボタン５ａ等の操作部を操作する場合等の電極部１に電流が出力されている状態において、電極部１が配置されている介装体３の先端が拡幅している分患部以外の使用者の体（特に指）が回り込んで電極部１に接触する可能性が相当低くなりショート等の不具合の発生を抑制することができ、また、電極部１周辺の本体１０が透明であり使用者が患部周辺を視認しながら本美容機器を用いることができ利便性もよい。
【００２１】
前記ドーム部４は、図３（図３（ａ）が下方から見たドーム部４の斜視図、図３（ｂ）がドーム部４の上面図、図３（ｃ）がドーム部４の底面図）に示すように、中空４ｂを有し、介装体３と面設するためにドーム部４の水平方向に切った接面４ａが設けられている。この接面４ａは粗面に形成され、この接面４ａが形成する輪の中に介装体３の電極部１への対向部分が入るように形成されている。接面４ａの外円の線を外線４ａ１とし、内円の線を内線４ａ２とする。このドーム部４の接面４ａの直下の介装体３に発光ダイオード７が内設されており、発光ダイオード７に電流を供給する発光ダイオードライン７ａが上部外装体５内部の回路基盤と接続するために発光ダイオード７から介装体３の後端３ｂ方向へ延設している。この発光ダイオード７が発光することで介装体３の中で発光ダイオード７から光が射出し発光ダイオード７が内設されている部分の介装体３が光るように見え、特に、接面４ａが粗面に形成されているためスクリーンの役目を果たし介装体３と接面４ａとの結合面（接面４ａ）が際立って光る。接面４ａが形成する輪の中に介装体３の電極部１への対向部分が入るように形成されており、接面４ａが光るということは、介装体３の電極部１への対向部分が際立って光っている部分の輪の中に入っていることとなり、本体１０が電極１の外周に沿って発光していることとなり、これが本発明の第３の特徴であり、この特徴により、本美容機器を使用している場合であっても電極部１の位置が把握でき、患部に電極部１を接触している時に電極部１が患部の所望部分に接触しているか否かを本美容機器側面側から覗き込むことなく、正面方向から確認でき利便性が高く、さらに、顔に使用している場合には通常鏡を見ながら行うが光っており視認性が高いため近くで凝視しながら使用する必要がなく利便性が高い。なお、この特徴により視認性が向上しているが、美観上やさしく光って癒しの光となって使用者を和ませる効果もある。
【００２２】
前記電極部１の背面には、電磁石で発音体を振動させる音響器具であるブザー（図示しない）が配設されている。このブザーは音を鳴らすためのものではなく、振動を発生するものとして用いている。通常、やせにくく燃焼されない脂肪の固まりであるセルライトを解消するためには、ボディに関してはローラーで摘み上げる方法であるローラー摘み上げ法を適用するのが一般的であるが、刺激に敏感な顔の肌には直接用いることができない。そこで、垂直に小刻みにパッティングさせ、適度な刺激を顔の肌に与えるためにブザーを用いた。したがって、ブザーの代替として、他に垂直に小刻みにパッティング可能なものを使用することができる。ブザーには電流の供給を受けるべく、ブザーライン１３ａが本体１０の内部に内設されている。なお、モーターに偏芯したおもりをつけ回転させてその遠心力によって振動を発生させるバイブレータを用いることもできるが、垂直に振動を発生させた方がパッティングとしてよく、ブザーの方が好ましい。また、ブザーは警告音として用いることもでき、本実施形態においては使用者が所定時間を超えて使用した場合に鳴らすこともできる。
【００２３】
前記制御部９は、図４に示すように、電源ボタン５ａからの入力を受け、発光ダイオード７、パルス出力部１２及び前記ブザーからなるブザー部１３を制御する。この制御部９は実際には主にマイクロコンピュータにより実装され、その余の部分は回路からなる。前記発光ダイオード７は、制御部９から出力された制御信号（発光用制御信号）に従って発光する。発光には幾つかの種類があり、本実施形態においては、常時発光する常時発光、一定間隔を置いて発光する点滅発光α、及び、この点滅発光αより長く一定間隔を置いて発光する点滅発光βを用いる。前記パルス出力部１２は、制御部９から出力された制御信号（電極用制御信号）に従って電極部１及び対極電極部８にパルスからなる電流を出力する。前記ブザー部１３は、制御部９から出力された制御信号（ブザー用制御信号）に従って電磁石を振動させる。
【００２４】
前記パルス出力部１２が出力するパルスには複数種類があり、本実施形態においては、皮膚の深部に蓄積している毒素や老廃物を除去するイオンクレンジング、皮膚の深部に化粧水等の養分を浸透させるイオン導入、及び、皮膚の毛穴を拡縮させ張りのある皮膚を保持させるリフティングを用いる。イオンクレンジング、イオン導入及びリフティングのパルス波形を図５に示す。イオン導入時にマイナス極性のパルスを出力しているが、これはマイナスの極性の化粧水等を反発力を利用して浸透させるためである。プラスの極性の化粧水であれば逆にプラス極性のパルスを出力するのが望ましい。
【００２５】
前記発光ダイオード７の発光の種類と、前記パルス出力部１２の出力するパルスの種類との対応は、イオンクレンジングのパルスが出力されている場合には制御部９が発光ダイオード７を常時発光させ、イオン導入のパルスが出力されている場合には制御部９が発光ダイオード７を点滅発光αで発光させ、リフティングのパルスが出力されている場合には制御部９が発光ダイオード７を点滅発光βで発光させる構成とする。
【００２６】
次に、本実施形態に係る美容機器の使用動作について説明する。制御部９は電源ボタン５ａが押下されたか否かを判断する（ステップ１０１）。このステップ１０１において、制御部９が電源ボタン５ａが押下されていないと判断された場合には、ステップ１０１に移行する。このステップ１０１において、制御部９が電源ボタン５ａが押下されたと判断された場合には、再び電源ボタン５ａが押下されたか否かを判断する（ステップ１０２）。このステップ１０２において電源ボタン５ａが押下されていないと判断された場合には、発光ダイオード７を常時発光させ（ステップ１０３）、イオンクレンジング時のパルスを出力場合の電極用制御信号をパルス出力部１２に出力し、パルス出力部１２はこの電極用制御信号に従いパルスを出力する（ステップ１０４）。このステップ１０４に後にパルスを出力して所定時間経過したか否かを判断する（ステップ１０５）。このステップ１０５において、所定時間が経過していないと判断した場合には、再びステップ１０２に移行する。前記ステップ１０５において、所定時間が経過したと判断した場合には終了する。
【００２７】
前記ステップ１０２において、電源ボタン５ａが押下されたと判断された場合には、再び電源ボタン５ａが押下されたか否かを判断する（ステップ１１１）。このステップ１１１において電源ボタン５ａが押下されていないと判断された場合には、発光ダイオード７を点滅発光αで発光させ（ステップ１１２）、イオン導入時のパルスを出力場合の電極用制御信号をパルス出力部１２に出力し、パルス出力部１２はこの電極用制御信号に従いパルスを出力する（ステップ１１３）。このステップ１１３に後にパルスを出力して所定時間経過したか否かを判断する（ステップ１１４）。このステップ１１４において、所定時間が経過していないと判断した場合には、再びステップ１１１に移行する。前記ステップ１１４において、所定時間が経過したと判断した場合には終了する。
【００２８】
前記ステップ１１１において、電源ボタン５ａが押下されたと判断された場合には、再び電源ボタン５ａが押下されたか否かを判断する（ステップ１２１）。このステップ１２１において電源ボタン５ａが押下されていないと判断された場合には、発光ダイオード７を点滅発光βで発光させ（ステップ１２２）、リフティング時のパルスを出力場合の電極用制御信号をパルス出力部１２に出力し、パルス出力部１２はこの電極用制御信号に従いパルスを出力する（ステップ１２３）。このステップ１２３に後にパルスを出力して所定時間経過したか否かを判断する（ステップ１２４）。このステップ１２４において、所定時間が経過していないと判断した場合には、再びステップ１２１に移行する。前記ステップ１２４において、所定時間が経過したと判断した場合には終了する。また、前記ステップ１２１において電源ボタン５ａが押下されていると判断された場合にも終了する。
【００２９】
これらの制御部９の制御に並行して、制御部９は、電源ボタン５ａが長押しされたか否かを常時判断しており、長押しがされた場合には、ブザー部１３が動作していないときにはブザー部１３を動作させるようにし、ブザー部が動作しているときにはブザー部１３を停止させるようにする。
【００３０】
このように本実施形態に係る美容機器によれば、前記手持部からなる本体１０と、前記電極部１とが離隔し、連結部２をもって結合して離隔空間１１を形成しているので、使用者が本美容機器を使用している場合及び使用しながら電源ボタン５ａ等の操作部を操作する場合等の電極部１に電流が出力されている状態において、離間空間１１を設けている分患部以外の使用者の体（特に、指）が電極部１に接触する可能性が低くなりショート等の不具合の発生を抑制することができ、また、電極部１と本体１０とは連結部２で結合されており手の化粧水、汗等又は患部の化粧水、汗等が伝わりにくくショート等の不具合の発生を抑制することができる。また、本実施形態に係る美容機器によれば、前記手持部からなる本体の形状が電極部配置方向に向かうに従い拡幅してなり、電極部周辺の本体が透明及び半透明となっているので、使用者が本美容機器を使用している場合及び使用しながら電源ボタン５ａ等の操作部を操作する場合等の電極部１に電流が出力されている状態において、電極部１が配置されている介装体３の先端が拡幅している分患部以外の使用者の体（特に指）が回り込んで電極部１に接触する可能性が相当低くなりショート等の不具合の発生を抑制することができ、また、電極部１周辺の本体が透明であり使用者が患部周辺を視認しながら本美容機器を用いることができ利便性もよい。また、本実施形態に係る美容機器によれば、前記手持部からなる本体が電極部の外周に沿って発光するので、本美容機器を使用している場合であっても電極部１の位置が把握でき、患部に電極部１を接触している時に電極部１が患部の所望部分に接触しているか否かを本美容機器側面側から覗き込むことなく、正面方向から確認でき利便性が高く、さらに、顔に使用している場合には通常鏡を見ながら行うが光っており視認性が高いため近くで凝視しながら使用する必要がなく利便性が高い。
【００３１】
なお、本実施形態に係る美容機器においては、前記手持部からなる本体が電極部の外周に沿って発光することなく、前記電極部１とが離隔し、連結部２をもって結合して離隔空間１１を形成すると共に、前記手持部からなる本体の形状が電極部配置方向に向かうに従い拡幅してなり、電極部周辺の本体が透明及び半透明とすることもでき、外光が入り込んで電極部周辺の視認性が高くなって適切に使用し易くなる。
【００３２】
また、本実施形態に係る美容機器においては、前記電極部１とが離隔し、連結部２をもって結合して離隔空間１１を形成することなく、前記手持部からなる本体の形状が電極部配置方向に向かうに従い拡幅してなり、電極部周辺の本体が透明及び半透明となると共に、前記手持部からなる本体が電極部の外周に沿って発光することもでき、離隔空間１１を設けてなく、外光の入り込みは期待できないものの、電極部の外周に沿って発行して且つ透明であるため、電極部周辺の視認性が高くなって適切に使用し易くなる。
【００３３】
また、本実施形態に係る美容機器においては、前記手持部からなる本体の形状が電極部配置方向に向かうに従い拡幅してなり、電極部周辺の本体が透明及び半透明となることなく、前記手持部からなる本体が電極部の外周に沿って発光すると共に、前記電極部１とが離隔し、連結部２をもって結合して離隔空間１１を形成することもでき、透明となっていないものの、離隔空間１１が形成されて発光しているため、電極部周辺の視認性が高くなって適切に使用し易くなる。
【００３４】
以上記載したように、前記第１の特徴、第２の特徴及び第３の特徴のそれぞれの特徴だけでなく、第１の特徴及び第２の特徴、第２の特徴及び第３の特徴、第３の特徴及び第１の特徴で構成された美容機器もそれぞれ特有の効果を有し、さらに、前記第１の特徴、第２の特徴及び第３の特徴が組み合わさることで、著しく視認性の高く、美観状のバランスの良い美容機器を提供することができる。美観状のバランスの良いとは、第１の特徴、第２の特徴及び第３の特徴のそれぞれの特徴を強く出した美容機器はバランスが良いとは言えず、例えば、第１の特徴を強く出した場合には離隔空間が空きすぎて美観状好ましくなる可能性があり、他の第２の特徴、第３の特徴でも同様なことが言え、これらの第１の特徴、第２の特徴及び第３の特徴を組み合わせた美容機器が美観上のバランスの良さを調整でき、結果的に美観上のバランスの良さを導き出せるという意味である。
【００３５】
（本発明の第２の実施形態）
本発明の第２の実施形態に係る美容機器について図７に基づき説明する。図７は本実施形態に係る美容機器の全体斜視図である。
【００３６】
本実施形態に係る美容機器は、電流を出力する円状の電極部１と、この電極部１と連結部２を介して結合する本体２０とからなり、本体２０と前記電極部１とが離隔し連結部２をもって結合する部分に離隔空間を形成している構成である。
【００３７】
前記第１の実施形態に係る美容機器と比較すると、介装体３、ドーム部４、上部外装体５、下部外装体６及び発光ダイオード７がなく、前記電池収納部及び回路基盤は本体２０内部に配設されている。また、対極電極部２１は、本体２０の側面中央部の両方に配設されている。発光ダイオード７はないが変わりに、本体２０の下端部中央に発光ダイオード２２が配設されている。ただし、この発光ダイオード２２は前記発光ダイオード７と異なり、電極部１の位置を使用者に認識させる機能を有していない。
【００３８】
本実施形態に係る美容機器の使用動作は前記第１の実施形態に係る使用動作と同一であるため、省略する。正確に言うと、発光ダイオード７を発光ダイオード２２に読み替えると同一となる。
【００３９】
このように本実施形態に係る美容機器によれば、既に前記第１の実施形態に係る美容機器の一効果として説明したが、前記手持部からなる本体２０と、前記電極部１とが離隔し、連結部２をもって結合して離隔空間１１を形成しているので、使用者が本美容機器を使用している場合及び使用しながら電源ボタン５ａ等の操作部を操作する場合等の電極部１に電流が出力されている状態において、離間空間１１を設けている分患部以外の使用者の体（特に、指）が電極部１に接触する可能性が低くなりショート等の不具合の発生を抑制することができ、また、電極部１と本体２０とは連結部２で結合されており手の化粧水、汗等又は患部の化粧水、汗等が伝わりにくくショート等の不具合の発生を抑制することができる。
【００４０】
（本発明の第３の実施形態）
本発明の第３の実施形態に係る美容機器について図８に基づき説明する。図８は本実施形態に係る美容機器の全体斜視図及び側面図（（ａ）が斜視図で、（ｂ）が側面図である）である。
【００４１】
本実施形態に係る美容機器は、電流を出力する円状の電極部１と、この電極部１と連続して形成された本体２０とからなり、本体２０の一部となる透明な樹脂からなる遮蔽板２０ａを本体２０の先端方向に配設した構成である。
【００４２】
前記第１の実施形態に係る美容機器と比較すると、介装体３、ドーム部４、上部外装体５、下部外装体６及び発光ダイオード７がなく、前記電池収納部及び回路基盤は本体２０内部に配設されている。また、対極電極部２１は、本体２０の側面中央部の両方に配設されている。発光ダイオード７はないが変わりに、本体２０の下端部中央に発光ダイオード２２が配設されている。ただし、この発光ダイオード２２は前記発光ダイオード７と異なり、電極部１の位置を使用者に認識させる機能を有していない。
【００４３】
本実施形態に係る美容機器の使用動作は前記第１の実施形態に係る使用動作と同一であるため、省略する。正確に言うと、発光ダイオード７を発光ダイオード２２に読み替えると同一となる。
【００４４】
このように本実施形態に係る美容機器によれば、既に前記第１の実施形態に係る美容機器の一効果として説明したが、本体２０の一部となる透明な樹脂からなる遮蔽板２０ａを本体２０の先端方向に配設し、すなわち、本体２０が電極部１配置位置後方に透明となっている遮蔽板２０ａからなる遮蔽部を形成しているので、使用者が本美容機器を使用している場合及び使用しながら電源ボタン５ａ等の操作部を操作する場合等の電極部１に電流が出力されている状態において、使用者が本美容機器を使用している場合等の電極部１に電流が出力されている状態において、遮蔽板２０ａにより電極部１に患部以外の指が接触することが防止され、ショート等の不具合の発生を抑制することができ、また、遮蔽板２０ａが透明であり使用者が患部周辺を視認しながら本美容機器を用いることができ利便性もよい。なお、前記第１の実施形態の美容機器においては、本実施形態の遮蔽板２０ａからなる遮蔽部に介装体の先端側３ａが相当する。
【００４５】
（本発明の第４の実施形態）
本発明の第４の実施形態に係る美容機器について図９に基づき説明する。図９は本実施形態に係る美容機器の全体斜視図である。
本実施形態に係る美容機器は、電流を出力する円状の電極部１と、この電極部１と連続して形成された本体２０とからなり、電極部１の外周に沿って本体部２０の先端方向に発光ダイオードによる発光部２３を配設した構成である。
【００４６】
前記第１の実施形態に係る美容機器と比較すると、介装体３、ドーム部４、上部外装体５、下部外装体６及び発光ダイオード７がなく、前記電池収納部及び回路基盤は本体２０内部に配設されている。また、対極電極部２１は、本体２０の側面中央部の両方に配設されている。発光ダイオード７はないが変わりに、本体２０の先端方向に電極部１の外周に沿って発光部２３が配設されている。この発光ダイオード２３は前記発光ダイオード７と同様に、美観の向上と共に電極部１の位置を使用者に認識させる機能も有している。
本実施形態に係る美容機器の使用動作は前記第１の実施形態に係る使用動作と同一であるため、省略する。正確に言うと、発光ダイオード７を発光部２３に読み替えると同一となる。
【００４７】
このように本実施形態に係る美容機器によれば、既に前記第１の実施形態に係る美容機器の一効果として説明したが、電極部１の外周に沿って本体部２０の先端方向に発光ダイオードによる発光部２３を配設しており、すなわち、前記本体２０の一部が電極部１の外周に沿って発光するので、本美容機器を使用している場合であっても電極部１の位置が把握でき、患部に電極部１を接触している時に電極部１が患部の所望部分に接触しているか否かを本美容機器側面側から覗き込むことなく、正面方向から確認でき利便性が高く、さらに、顔に使用している場合には通常鏡を見ながら行うが光っており視認性が高いため近くで凝視しながら使用する必要がなく利便性が高い。
【００４８】
（その他の実施形態）
前記第１の実施形態又は第２の実施形態に係る美容機器においては、連結部２において電極極１又は本体１に略面平行に仕切を設けることもでき、この仕切により患部に付着した化粧水等が電極部１を伝わって本体１方向に流れることを防止すると共に、手の指等の患部以外の体に付着した化粧水等が本体１０、２０を伝わって電極部１方向に流れることを防止することがができ、化粧水等を介したショートや異常な動作に陥ることをより回避することができる。また、仕切の代わりに、連結部２及び連結部２周辺に溝を形成して伝わる化粧水等を所望方向に導き、ショートや異常な動作に陥ることをより回避することもできる。
【００４９】
前記第１の実施形態においては、ドーム部４の周辺の本体１０の一部分に穴を形成し、例えば、図１０に示すように、介装体３は先端方向がドーム部４の接面４ａ部分と一部を残し、中抜き状態にすることもでき、より視認性に優れ、円滑に患部に電極部１を接触させて使用することができる。また、現在中抜きしている部分をルーペを配設して、使用時に患部周辺を拡大して使用者に見せることにより、先端方向は本美容機器を使用する患部を確認でき、後端は本美容機器を使用した患部を確認でき、より利便性を高くすることができる。
【００５０】
前記第１の実施形態においては、接面４ａを複数設けて複数の輪を設け、各輪に対応して発光ダイオードを設け、パルス出力部１２の出力するパルスの種類に対応付けることもでき、例えば、３つの輪を設けた場合に、イオンクレンジング時に内輪を光らせ、イオン導入時に中輪を光らせ、リフティング時に外輪を光らせるようにすることもでき、美観及び視認性を向上させることができる。また、設ける発光ダイオードも同色でなく、異なる色にすることで使用者が容易に区別して使用することができる。
【００５１】
前記第１の実施形態においては、ドーム部４を取り除き、かかる部分の本体１０部分に穴を形成し、電極部も同心円の穴を形成し、形状をドーナツ状にすることもでき、使用者は使用時に電極部の穴からも患部を確認することができると共に、電極部１を皮膚に押し込むことにより穴部分の皮膚が盛り上がりマッサージ効果を与えることもでき、血行を良くし皮膚を正常に保つことができる。このようにドーナツ状にした場合には、ブザーを1つだけでなく、２以上設けることもでき、例えば、１８０［度］毎に１個ブザーを設けることもできる。ただし、電極部１をドーナツ状にしなくとも複数のブザーを設けることもできる。
【００５２】
前記第１の実施形態においては、介装体３の先端３ａがドーム部４の外周に沿って円弧状にすることもでき、ドーム部４と介装体３の先端３ａが協調したデザインとなって統一的な美観を奏することができる。言い換えると、図１において、介装体３の先端３ａは角が形成されているが、この角をなくしてドーム部４の外周に沿って形成することができるということである。
【図面の簡単な説明】
【００５３】
【図１】本発明の第１の実施形態に係る美容機器の全体斜視図である。
【図２】本発明の第１の実施形態に係る美容機器の六面図である。
【図３】本発明の第１の実施形態に係る美容機器のドーム部の説明図である。
【図４】本発明の第１の実施形態に係る美容機器の制御に関する構成ブロック図である。
【図５】本発明の第１の実施形態に係る美容機器のパルス波形図である。
【図６】本発明の第１の実施形態に係る美容機器の使用動作に係るフローチャートである。
【図７】本発明の第２の実施形態に係る美容機器の全体斜視図である。
【図８】本発明の第３の実施形態に係る美容機器の全体斜視図及び側面図である。
【図９】本発明の第４の実施形態に係る美容機器の全体斜視図である。
【図１０】本発明のその他の実施形態に係る美容機器の全体斜視図である。
【図１１】従来の美容機器の全体斜視図である。
【図１２】従来の美容機器の全体斜視図である。
【符号の説明】
【００５４】
１  電極部
１ａ  電極ライン
２  連結部
３  介装体
３ａ  先端
３ｂ  後端
４  ドーム部
４ａ  接面
４ａ１  外線
４ａ２  内線
４ｂ  中空
５  上部外装体
５ａ  電源ボタン
６  下部外装体
７  発光ダイオード
７ａ  発光ダイオードライン
８  対極電極部
９  制御部
１０  本体
１１  離隔空間
１２  パルス出力部
１３  ブザー部
１３ａ  ブザーライン
２０  本体
２０ａ  遮蔽板
２１  対極電極部
２２  発光ダイオード
２３  発光部
１１１、１２１  筐体部
１１２、１２２  導入電極
１１３、１２３  対極電極
１１５ａ、１２５ａ  電源オンスイッチ
１１５ｂ、１２５ｂ  電源オフスイッチ
【図１】
2005152323.tif 000003
【図２】
2005152323.tif 000004
【図３】
2005152323.tif 000005
【図４】
2005152323.tif 000006
【図５】
2005152323.tif 000007
【図６】
2005152323.tif 000008
【図７】
2005152323.tif 000009
【図８】
2005152323.tif 000010
【図９】
2005152323.tif 000011
【図１０】
2005152323.tif 000012
【図１１】
2005152323.tif 000013
【図１２】
2005152323.tif 000014